(57)【特許請求の範囲】
【請求項１】
基台と、この基台に対して着脱可能に取り付けられる補助台と、前記基台に直接取り付けられた原動機と、前記補助台を介して前記基台に取り付けられたポンプと、このポンプを前記原動機に分離可能に接続するカップリングとを具備してなり、
前記補助台が、前記原動機に嵌合する位置決め嵌合部を備えたものであり、
前記原動機が、前記基台上に取り付けられる対をなす取付ベースを備えたものであり、
前記位置決め嵌合部が、前記両取付ベースの端部間に嵌合する左右の位置決め部分と、前記取付ベースの端面に当接する前後の位置決め部分とを備えたものであるポンプ装置。
【請求項２】
前記補助台が、一端部に前記位置決め嵌合部を有し前記基台上に添接される平板部と、この平板部よりも上方に隆起するように設けられ上面に前記ポンプが取り付けられるポンプ支持部とを備えたものである請求項１記載のポンプ装置。
【発明の詳細な説明】
【技術分野】
【０００１】
本発明は、ポンプと原動機とを備えたポンプ装置に関する。
【背景技術】
【０００２】
従来、この種の装置においては、載置面がフラットな板状の基台上にポンプと原動機とをそれぞれボルト等を用いて取り付けているものが知られている（例えば、非特許文献１を参照）。
【０００３】
装置を組み立てる際には、原動機の出力軸とポンプの入力軸とを適切に位置合わせする必要がある。従来は、基台上における原動機、及び、ポンプの位置を確定させるために、微妙な調整作業が不可避的に実施されており、比較的長い作業時間を要するものとなっていた。
【０００４】
また、原動機、及び、ポンプを一旦基台上に取り付けた後に、その原動機、又は、ポンプを基台から取り外し、その後あらためて、前記基台に取り付けるような場合もある。このような再度の取付段階においても、最初に行ったときと同様の取付位置を調整するための作業が不可避的に発生することになる。すなわち、再度の取付段階における原動機、又は、ポンプの着台上における取付作業も、最初に行ったときと同様に比較的長い作業時間を要するものとなっていた。
【先行技術文献】
【特許文献】
【０００５】
【非特許文献１】”株式会社マルナカ”、〔ｏｎｌｉｎｅ〕、〔平成２７年１２月１５日検索〕、インターネット（ＵＲＬ：ｈｔｔｐ：／／ｗｗｗ．ｍａｒｕｎａｋａ−ｊａｐａｎ．ｃｏ．ｊｐ／ｐｒｏｄｕｃｔｓ／ｉｎｄｕｓｔｒｉａｌｍａｃｈｉｎｅ．ｈｔｍｌ）
【発明の概要】
【発明が解決しようとする課題】
【０００６】
本発明は、以上のような事情に着目してなされたもので、基台上に原動機とポンプとを比較的簡便に位置決めすることができる構成を備えたポンプ装置を提供することにある。
【課題を解決するための手段】
【０００７】
すなわち、本発明は次の構成をなしている。
【０００８】
請求項１に記載の発明は、基台と、この基台に対して着脱可能に取り付けられる補助台と、前記基台に直接取り付けられた原動機と、前記補助台を介して前記基台に取り付けられたポンプと、このポンプを前記原動機に分離可能に接続するカップリングとを具備してなり、前記補助台が、前記原動機に嵌合する位置決め嵌合部を備えたものであり、前記原動機が、前記基台上に取り付けられる対をなす取付ベースを備えたものであり、前記位置決め嵌合部が、前記両取付ベースの端部間に嵌合する左右の位置決め部分と、前記取付ベースの端面に当接する前後の位置決め部分とを備えたものであるポンプ装置である。
【０００９】
ここで、「原動機」とは、モータ等の電動機やエンジン等の内燃機関を含む概念である。また、「原動機」とは、電動機単体や内燃機関単体のみならず、それら電動機や内燃機関とギアボックスとを組み合わせたものを含む概念である。
【００１２】
請求項２に記載の発明は、前記補助台が、一端部に前記位置決め嵌合部を有し前記基台上に添接される平板部と、この平板部の途中を上方に隆起させて設けられ上面に前記ポンプが取り付けられるポンプ支持部とを備えたものである請求項１記載のポンプ装置である。
【発明の効果】
【００１３】
以上説明したように本発明によれば、基台上に原動機とポンプとを比較的簡便に位置決めすることができる構成を備えたポンプ装置を提供することにある。
【図面の簡単な説明】
【００１４】
【図１】本発明の一実施形態を示す側面図。
【図２】同実施形態における平面図。
【図３】同実施形態における分解斜視図。
【図４】同実施形態における補助台の平面図。
【図５】同実施形態における部分的な正面図。
【発明を実施するための形態】
【００１５】
以下、本発明の一実施形態を、図１〜５を参照して説明する。
【００１６】
この実施形態は、本発明を、高圧洗浄機の主要部をなすポンプ装置Ａに適用したものである。
【００１７】
このポンプ装置Ａは、基台１と、この基台１に対して着脱可能に取り付けられる補助台２と、基台１に取り付けられた原動機（モーター）３と、補助台２を介して基台１に取り付けられたポンプ４と、このポンプ４を原動機３に分離可能に接続するカップリング５とを具備してなる。なお、この実施形態におけるポンプ装置Ａは、原動機３とポンプ４とを直結したタイプのものである。
【００１８】
基台１は、台車タイプのものであり、原動機３やポンプ４が直接的又は間接的に配される平盤状をなす基台本体１１と、この基台本体１１に設けられた車輪１２と、接地面と接する部位を有し基台本体１１を使用時において略水平な状態に保持するための支持アーム１３と、この支持アーム１３を接地面から離れた状態にして基台本体１１を車輪１２を用いて移動させるためのハンドル１４とを備えたものである。基台本体１１の上面は略フラットに形成されている。
【００１９】
補助台２は、基台１に取り付けられた原動機３における既存の露出部に嵌合する位置決め嵌合部Ｂを備えている。この実施形態では、原動機３における既存の露出部は、取付ベース３１の外面である。位置決め嵌合部Ｂは、対をなす取付ベース３１の前端部における内側を向く端面３１ａ間に嵌合する左右の位置決め部分ｂ１と、取付ベース３１の前端部における前側を向く端面３１ｂに当接する前後の位置決め部分ｂ２とを備えている。
【００２０】
詳述すれば、補助台２は、一枚の板金素材を折り曲げ成形することにより作られている。補助台２は、一端部たる後端部に位置決め嵌合部Ｂを有し基台１上に添接される平板部２１と、この平板部２１の前側に位置し基台本体１１から離間するように平板部２１よりも上方に隆起した形状をなし上面にポンプ４が取り付けられるポンプ支持部２２とを備えている。
【００２１】
平板部２１には、補助台２を基台本体１１に取り付けるためのビスｖ１が挿入されるビス挿通孔ｎ１が形成されている。
【００２２】
ポンプ支持部２２には、側面視において凸条の部位を有しており、基台本体１１から離間した水平部分にポンプ４に対して下側から螺着するビスｖ２が挿入されるビス挿通孔ｎ２が形成されている。ポンプ支持部２２は、前側に平板部２１と略同じ高さ位置に設定された鍔部２２ａを備えている。鍔部２２ａは、ビスｖ８により基台本体１１に添接した状態で止着されるようになっており、当該ビスｖ８が挿通されるビス挿通孔ｎ４が形成されている。
【００２３】
原動機３は、ビスｖ３を用いて基台１に直接的に取り付けられたものである。原動機３のハウジングＨは、基台本体１１上に載置される一対の取付ベース３１を備えている。これら取付ベース３１は、平面視において略長方形をなす厚板状の部位を有したものであり、ビスｖ３を挿通させるための長孔状のビス挿通孔ｎ３を備えている。この実施形態においては、取付ベース３１における対向する内側面３１ａが第一の既存の露出面であり、取付ベース３１における前端面すなわちポンプ４側の端面３１ｂが第二の既存の露出面である。
【００２４】
補助台２における左右の位置決め部分ｂ１は、外側方に露出した端縁部分を有しており、ハウジングＨにおける内側を向く端面３１ａと係わり合う。また、補助台２における前後の位置決め部分ｂ２は、後方に露出した端縁部分を有しており、ハウジングＨにおける前側を向く端面３１ｂと係わり合うようになっている。すなわち、補助台２における位置決め嵌合部Ｂを、原動機３のハウジングＨにおける両取付ベース３１によって構成された嵌合受け部に対して嵌合させることにより、補助台２を原動機３に対して位置決めしている。
【００２５】
ポンプ４は、補助台２を介して基台１に取り付けられたものである。すなわち、このポンプ４は、補助台２のポンプ支持部２２にビスｖ２を用いて取り付けられたポンプ本体４１と、このポンプ本体４１の側面に設けられたポートユニット４２とを備えた通常のものである。
【００２６】
カップリング５は、原動機３の出力軸ｊ１とポンプ４の入力軸ｍ１とを分離可能に接続するためのものである。すなわち、このカップリング５は、原動機３の出力軸ｊ１に外嵌され、且つ、止めねじｖ４により出力軸ｊ１に固定された状態でこの出力軸ｊ１と一体に回転する出力側回転体５１と、ポンプ４の入力軸ｍ１に外嵌され、且つ、止めねじｖ５により入力軸ｍ１に固定された状態でこの入力軸ｍ１と一体に回転する入力側回転体５２と、この入力側回転体５２に形成されたフランジ部５２ｆにビスｖ６により止着されこの入力側回転体５２とともに回転可能な環状体５３とを具備してなる。
【００２７】
出力側回転体５１は環状体５３の内周に嵌合している。そして、連結ボルトｖ７を環状体５３を貫通させて出力側回転体５１に螺着することにより出力軸ｊ１の回転力が入力軸ｍ１に伝達されるようになっている。すなわち、連結ボルトｖ７を取り外せば、前記ポンプ４を前記原動機３から分離させることができるようになっている。
【００２８】
ポンプ装置Ａは、以上のような構成をなしているため、カップリング５に関連した連結ボルトｖ７を取り外すとともに補助台２に関連したビスｖ１、ｖ８等を取り外すことにより、ポンプ４を補助台２とともに基台本体１１から取り外すことができる。そして、元の組立状態に戻すときは、ポンプ４を補助台２とともに元の位置に戻し、補助台２に関連したビスｖ１、ｖ８等を用いて再度当該補助台２を基台１に装着することにより容易に行うことができる。その際、補助台２は、当該補助台２における位置決め嵌合部Ｂを原動機３における既存の露出面３１ａ、３１ｂに当接させ、両者が嵌合した状態で基台１に取り付けることができるため、補助台２は位置決めされた状態で基台１に固定されることになる。そのため、再度、ポンプ４を基台１に取り付ける際には、改めて原動機３の出力軸ｊ１と当該ポンプ４の入力軸ｍ１との位置合わせをする必要が好適に抑制されるものとなる。
【００２９】
以上説明したように、本実施形態に係るポンプ装置Ａは、基台１と、この基台１に対して着脱可能に取り付けられる補助台２と、基台１に取り付けられた原動機３と、補助台２を介して前記基台１に取り付けられたポンプ４と、このポンプ４を原動機３に分離可能に接続するカップリング５とを具備したものである。そして、補助台２が、基台１に取り付けられた原動機３の既存の露出部である取付ベース３１に嵌合する位置決め嵌合部Ｂを備えている。このため、基台１上に原動機３とポンプ４とを比較的簡便に位置決めすることができる構成を備えたポンプ装置Ａを提供することができるものとなる。つまり、従来のように、原動機３とポンプ４とをそれぞれ個別に平板状をなす着台１に対して直接的に取り付けておらず、原動機３と係わり合う補助台２を介してポンプ４を基台１に取り付けているため、原動機３とポンプ４との位置決めを好適に行うことができるものとなる。
【００３０】
すなわち、原動機３が、基台１に直接取り付けられたものであり、ポンプ４が補助台２を介して基台１に取り付けられたものであるため、補助台２の位置決め嵌合部Ｂを原動機３の取付ベース３１に嵌合させることにより、原動機３とポンプ４との位置決めを簡便に行い得るものとなる。しかも、取付ベース３１は原動機３の既存の露出部を構成するものであるため、位置決めのための特別なブラケット等を用いることなく原動機３とポンプ４との位置決めを行い得るものとなる。
【００３１】
原動機３が、基台１上に取り付けられる対をなす取付ベース３１を備えたものである。そして、補助台２の位置決め嵌合部Ｂが、取付ベース３１の端部間に嵌合する左右の位置決め部分ｂ１と前記取付ベース３１の端面３１ｂに当接する前後の位置決め部分ｂ２とを備えたものである。このため、ポンプ４を支持した補助台２が、原動機３に対して、前後方向及び左右方向に好適に位置決めされ得るものとなる。
【００３２】
補助台２が、一端部に位置決め嵌合部Ｂを有し基台１上に添接される平板部２１と、この平板部２１の途中を上方に隆起させて設けられ上面に前記ポンプ４が取り付けられるポンプ支持部２２とを備えたものである。このため、平板部２１により基台１上に好適に係わり合うとともに、ポンプ支持部２２によりポンプ４を好適に支持し得るものとなる。
【００３３】
なお、本発明は、以上に詳述した実施形態に限られるものではない。
【００３４】
基台は、原動機や補助台やポンプが取り付けられるものであればよく、適宜の形状のものを適用することができる。
【００３９】
カップリングは、原動機やポンプの仕様等に応じて種々の構造のものを適用することができるのはいうまでもない。
【００４０】
その他、各部の具体的構成についても上記実施形態に限られるものではなく、本発明の趣旨を逸脱しない範囲で種々変形が可能である。
【符号の説明】
【００４１】
１…基台
２…補助台
３…原動機
４…ポンプ
５…カップリング
Ａ…ポンプ装置
Ｂ…位置決め嵌合部
【図１】
0006713611.tif 000002
【図２】
0006713611.tif 000003
【図３】
0006713611.tif 000004
【図４】
0006713611.tif 000005
【図５】
0006713611.tif 000006